(57)【要約】【課題】様々な厚さの電子装置に接続するための引き込み可能なコネクタを有するコンピュータ用ドックを提供して、コンピュータ用ドックの使用可能性をより高めること。【解決手段】コンピュータ用ドックは、本体と、本体の裏面に配置された引き込み可能なアセンブリとを備えており、引き込み可能なアセンブリはスライド、コネクタ、支持板、移動ブロックを含み、移動ブロックとコネクタの両方は本体から突出して垂直動作の機能を提供し、また、コンピュータドックの本体上に電子装置を接続のために配置した場合に、移動ブロックが、スライドを動かす垂直動作と、さらに、水平に移動されたスライドに対して垂直な動作においてコネクタを戻す水平動作とによって移動される。この方法により、使用するコンピュータ用ドックが、厚さの異なる様々な電子装置と接続できるようになる。【選択図】図１
2008059581.tif 000002
【特許請求の範囲】
【請求項１】
本体と本体の裏面に配置された引き込み可能なアセンブリとを備えるコンピュータ用ドックであって、
前記本体にはスロットと一対の案内溝とが配置されており、また、前記本体は前記裏面に配置された一対の案内柱と一対の固定柱を有し、
前記引き込み可能なアセンブリはスライド、コネクタ、支持板、移動ブロックを含み、この場合、
前記スライドは前壁、後壁、２つの側壁を有する中空シェルであり、一対の斜めの案内溝が、この内部およびこれを横切って別個に配置されている一対の連係部のために、前壁と後壁上に別個に配置されており、後壁は一対の斜めのスライド溝をさらに設けており、また、各側壁からは、長いスロットが内設された制限ブロックが水平に突出しており、前記長いスロット内部には前記本体の前記関連する固定柱が嵌着し、
前記スライド内部に配置された前記支持板は一対の案内孔と一対の突出ハブを有し、前記一対の案内孔の各々は、これを通過する前記本体の案内柱の対応する各１つについて設けられ、前記一対の突出ハブの各々は、これを通過して連係部の対応する各１つに設けられて旋回接続を形成しており、
前記コネクタは前記支持板上に固定され、前記本体の前記スロットから突出しており、
前記移動ブロックは、２側面上に形成された一対の案内トラックを有しており、前記一対の案内トラックの各々は、前記本体の対応する１つの案内溝に対応し、ここから突出しており、前記移動ブロックはさらに、前記スライドの前記後壁上に配置されたそれぞれの前記斜めのスライド溝内に嵌合する一対の案内ブロック有する、コンピュータ用ドック。
【請求項２】
前記案内板は、前記案内板の２側面に寄りかかっている前記移動ブロックの各案内トラックに設けられる、前記本体の前記裏面上にさらに固定されている、請求項１に記載のコンピュータ用ドック。
【請求項３】
前記本体の前記裏面上に、前記スライドに接続した自由端部の手段によって、弾性部材がさらに配置されている、請求項２に記載のコンピュータ用ドック。
【発明の詳細な説明】
【技術分野】
【０００１】
本発明はコンピュータ用ドックに関し、より詳細には、厚さの異なる様々な電子装置を接続するためのコンピュータドックに関する。
【背景技術】
【０００２】
電子装置内のコンピュータ用ドックは、ラップトップのプロセッサの下に配置されている周辺プラットホームである。通常、コンピュータ用ドックは、ＣＤ−ＲＯＭ、ディスクドライバまたは二次電池などの据付け型の周辺設備を装備している。従って、コンピュータ用ドックをラップトップに接続すると、コンピュータ用ドックはラップトップの外部周辺機器となる。
【発明の開示】
【発明が解決しようとする課題】
【０００３】
しかし、ラップトップに接続するための従来のコンピュータ用ドックのコネクタは、通常引き込み式ではない。厚さの異なる電子装置を、コンピュータ用ドックを介して接続する場合には、電子装置の厚さに合うように設計されたコンピュータ用ドックを使用する必要がある。そのため、現段階では、様々な厚さの電子装置を接続するための、先行技術による従来のコンピュータ用ドックの使用は限られている。
【課題を解決するための手段】
【０００４】
したがって、本発明の１つの目的は、様々な厚さの電子装置に接続するための引き込み可能なコネクタを有するコンピュータ用ドックを提供して、コンピュータ用ドックの使用可能性をより高めることである。
【０００５】
本発明の別の目的は、本体と、本体の裏面に配置された引き込み可能なアセンブリとを備えたコンピュータ用ドックを提供することである。引き込み可能なアセンブリは、スライド、コネクタ、支持板、移動ブロックを含み、移動ブロックとコネクタの一部が本体の前部から外方に突出しており、移動ブロックは垂直にしか移動できない。移動ブロックが垂直に移動すると、スライドは水平方向のみに移動するように動かされる。コネクタは支持板の裏面に固定されており、この２つはスライド内部に配置されている。スライドが水平に移動すると、コネクタおよび支持板は、スライド内部で垂直方向にのみ移動できる。そのため、厚さの異なる電子装置がコンピュータ用ドックの本体上に配置されている場合、本体から突出する移動ブロックが外力によって強制的に垂直に移動される。これにより、スライドが水平に動くように駆動されることで、コネクタが垂直に弾き込まれるように動かされる一方、コネクタの移動距離は、電子装置の様々な厚さに従って変化する。電子装置がコンピュータ用ドックともはや接続されなくなると、スライドが元の位置へ垂直に移動する。これと同時に、スライドがコネクタと移動ブロックを駆動して、垂直に拡張させ、またこれを元の位置に戻す。
【発明の効果】
【０００６】
本発明のコンピュータ用ドックではこのコネクタに様々な厚さの電子装置を接続することが可能になる。
【発明を実施するための最良の形態】
【０００７】
図１、図２に示すように、本発明によるコンピュータ用ドックは、本体１１と引き込み可能なアセンブリ２０を含む。引き込み可能なアセンブリ２０は、様々な厚さの電子装置に接続するためのコネクタ４０を有する。
【０００８】
図３に示すように、本体１１は、これを貫通しているスロット１３および一対の案内溝１４と、裏面１１ａに配置された一対の案内柱１５、一対のネジ柱１６、一対の固定柱１７を有する。
【０００９】
引き込み可能なアセンブリ２０は本体１１の裏面１１ａ上に設置されており、スライド３０、コネクタ４０、支持板５０、移動ブロック６０を含む。案内板７０をさらに追加すると、本発明の別の好適な実施形態を形成することができる。
【００１０】
支持板５０上には一対の案内孔５１と一対の突出ハブ５２が配置されている。一対の連係部３８が設けられており、支持板５０の対応する突出ハブ５２をそれぞれ貫通して旋回接続を形成している。支持板５０の２側面上の案内孔５１が、本体１１の裏面上の案内板１５と対応しているため、支持板５０が案内孔５１を介して本体１１の案内柱１５上で滑動することができる。そのため、本体１１の案内柱１５が支持板５０の案内孔５１を通る時に、支持板５０の動作が、Ｚ軸に沿った方向のみに案内柱１５によって制限される。
【００１１】
コネクタ４０は支持板５０の裏面に固定されている。支持板５０が案内孔５１によって本体１１の案内柱１５内を滑動する際に、コネクタ４０の大部分は本体１１のスロット１３から突出し、支持板５０と共にＺ軸に沿って移動する。
【００１２】
案内トラック６１は移動ブロック６０の２側面上に配置されており、本体１１の案内溝１４と対応している。引き込み可能なアセンブリ２０が本体１１の裏面１１ａ上に配置されている場合、本体１１の案内溝１４から突出する。移動ブロック６０の案内トラック６１は、本体１１の案内溝１４を貫通する移動ブロック６０の案内トラック６１により、Ｚ軸に沿った動作のみを許容する案内溝１４によって移動ブロック６０の動作が制限される。
【００１３】
移動ブロック６０をＺ軸に沿って案内し、滑らかに垂直動作させる目的で、引き込み可能なアセンブリ２０にさらに案内板７０を設けることができる。案内板７０が、本体１１の裏面１１ａ上のネジ柱１６に固定されている場合には、移動ブロック６０の２側面上の案内トラック６１が案内板７０の２側面上に寄り掛かるため、Ｚ軸に沿って移動する際、案内板７０によって移動ブロック６０が案内される。
【００１４】
スライド３０は、前壁３０ａ、後壁３０ｂ、２つの側壁を備えた中空シェルである。２つの側壁のそれぞれから制限ブロック３１が突出し、制限ブロック３１のそれぞれに長いスロット３１ａが設けられている。前壁３０ａと後壁３０ｂには一対の機能的に同一な斜めの案内溝３２が配置されており、また、後壁３０ｂには、後壁３０ｂに配置されている斜めの案内溝３２に対し平行である一対の斜めの案内溝３３が配置されている。
【００１５】
スライド３０は、コネクタ４０と支持板５０を内設するために中空になっており、さらに、コネクタ４０と支持板５０がＺ軸に沿って垂直に移動する際に、スライド３０のＹ軸に沿った水平動作は妨害されない。
【００１６】
コネクタ４０と支持板５０をスライド３０内に共に配置した場合、連係部３８は、連係部３８用のスライド３０の前壁３０ａの斜めの案内溝３２、支持板５０の突出ハブ５２、スライド３０の後壁３０ｂの斜めの案内溝３２を通過して、前壁３０ａおよび後壁３０ｂの斜めの案内溝３２の内部を横切る。このような構造では、連係部３８とスライド３０の斜めの案内溝３２が滑動機構を形成し、一方で、連係部３８と支持板５０の間に旋回連係部が形成される。
【００１７】
移動ブロック６０は、移動ブロック６０の前部に案内ブロック６２をさらに有する。これらの構成部品を組立てる場合、移動ブロック６０の案内ブロック６２が、スライド３０の後壁３０ｂによって設けられた斜めの案内溝３３内に滑り込む。図２、図４に示すように、移動ブロック６０がＺ軸に沿って垂直に移動する際に、移動ブロック６０の案内ブロック６２が移動ブロック６０と共に、スライド３０の斜めの案内溝３３内のＺ軸に沿って垂直に移動し、これにより、スライド３０がＹ軸に沿って別の方向に移動される。
【００１８】
図１〜図４に示すように、組み立て工程中に、引き込み可能なアセンブリ２０のコネクタ４０と移動ブロック６０の一部が本体１１から突出するが、引き込み可能なアセンブリ２０の支持板５０は案内柱１５によって制限されるため、コネクタ４０と支持板５０のみが共にＺ軸に沿って移動することができる。同様に、引き込み可能なアセンブリ２０の移動ブロック６０は本体１１の案内溝１４によって制限されることで、Ｚ軸に沿ってのみ移動可能となる。これに加え、本体１１の裏面１１ａ上に配置された固定柱１７が引き込み可能なアセンブリ２０のスライド３０の制限ブロック３１の長いスロット３１ａ内に滑り込む。制限部材８０を固定柱１７に固定した後に、スライド３０の制限ブロック３１のスロット３１ａと本体１１の固定柱１７が滑動機構を形成する。これにより、スライド３０のＹ軸に沿った最大水平移動距離が制限される。
【００１９】
図２に示すように、本発明のコンピュータ用ドック１０は、弾性部材９０をさらに設ける。この弾性部材９０の一端は本体１１の裏面１１ａに固定され、他端は引き込み可能なアセンブリ２０のスライド３０に接続している。スライド３０がＹ軸に沿って水平に移動すると、スライド３０が弾性部材９０の引張力によって元の位置に戻ることができる。
【００２０】
使用時、コンピュータ用ドック１０の移動ブロック６０の一部は、コンピュータ用ドック１０の本体１１から突出する。移動ブロック６０が外力によってＺ軸に沿って移動すると、移動ブロック６０上の案内ブロック６２がスライド３０をＹ軸に沿って駆動する。スライド３０がＹ軸に沿って移動する際、弾性部材９０が引っ張られ、スライド３０の斜めの案内溝３２が連係部３８を駆動し、これにより、支持板５０とコネクタ４０が同時にＺ軸に沿って外力の方向へ引き込まれる。
【００２１】
外力がなくなると、弾性部材９０が再位置決め力をスライド３０に発し、スライド３０がＹ軸に沿って元の位置へ戻る。スライド３０が元の位置へ戻る工程中に、スライド３０の斜めの案内溝３２が連係部３８を駆動すると、支持板５０とコネクタ４０がＺ軸に沿って、外力とは反対の方向へ同時に動かされて元の位置に戻る。
【００２２】
要するに、コンピュータ用ドック１０内の引き込み可能なアセンブリ２０のコネクタ４０が本発明に従って引き込み可能であるため、本発明のコンピュータ用ドック１０ではこのコネクタ４０に様々な厚さの電子装置を接続することが可能になる。
【図面の簡単な説明】
【００２３】
【図１】コンピュータ用ドックが、本発明の好適な実施形態による引き込み可能なコネクタを介して、厚さの異なる電子装置に給電を行う方法を示す概略図である。
【図２】本発明の好適な実施形態による引き込み可能なアセンブリを設けたコンピュータ用ドックを示す概略図である。
【図３】図２の引き込み可能なアセンブリの各部を示す展開図である。
【図４】引き込み可能なアセンブリの各部品の動作間の関係を示す図である。
【図１】
2008059581.tif 000003
【図２】
2008059581.tif 000004
【図３】
2008059581.tif 000005
【図４】
2008059581.tif 000006